(57)【要約】【課題】電気泳動インク粒子の動きをモニタし、不具合モードの有無を確認する。【解決手段】横方向のワイヤ装置５００は、第１のワイヤ５０２と、第２のワイヤ５０２と、基体５０３とを含み、これら２本のワイヤ５０２が実質的に平行であるように、付着剤５０６を用いてそれぞれを基体５０３の上に付着させる。このとき、第１のワイヤ５０２と第２のワイヤ５０２との間に電気泳動インクを受けるためのギャップ５０４を形成する。【選択図】図５
2008276221.tif 000002
【特許請求の範囲】
【請求項１】
第１のワイヤと、
第２のワイヤと、
第１のワイヤと第２のワイヤとが実質的に平行であるように、第１のワイヤおよび第２のワイヤをその上に付着させた基体と、
を含み、
第１のワイヤと第２のワイヤとの間に電気泳動インクを受けるためのギャップを形成する、電気泳動インクを観察するための横方向のワイヤ装置。
【請求項２】
第１のワイヤおよび第２のワイヤをブロック上に装着された複数の留め具の周囲に巻き付ける工程と、
第１のワイヤおよび第２のワイヤの下に基体を配置する工程と、
第１のワイヤと第２のワイヤとが実質的に平行であるように第１のワイヤおよび第２のワイヤを基体に付着させて、第１のワイヤおよび第２のワイヤは電気泳動インクを受けるためのギャップを定義する工程と、
第１および第２の２本のワイヤを切断して、第１のワイヤおよび第２のワイヤならびにそれらと付着した基体をブロックから取り外す工程と、
を含む、電気泳動インクを観察するための横方向のワイヤ装置を作製する方法。
【請求項３】
基体に付着した第１のワイヤと第２のワイヤとの間に形成されたギャップに少なくとも１滴の電気泳動インクを配置する工程と、
第１のワイヤと第２のワイヤとの間で電気泳動を受けている電気泳動インクの粒子の横方向の動きを観察する工程と、
を含み、
第１のワイヤと第２のワイヤは実質的に平行である、インクを観察するための横方向のワイヤ装置を使用するための方法。
【発明の詳細な説明】
【技術分野】
【０００１】
本発明は、一般に材料およびプリンタおよびコピー機などの電子写真用機器を製造する材料に関し、具体的は、電気泳動インク（electrophoretic ink）および電気泳動（electrophoretic migration）に関する。
【背景技術】
【０００２】
電気泳動インク粒子運動は、一般に、インクを２つの電極間に置いて、上部電極（一般的に酸化インジウムスズ（ＩＴＯ）コートされたガラス板）からインクを観測することによりモニタされる。
【０００３】
【特許文献１】米国特許第４，２７２，５９６号明細書
【特許文献２】米国特許出願公開第２００６／０２９１０３３号明細書
【特許文献３】米国特許出願公開第２００７／０００２４２８号明細書
【発明の開示】
【発明が解決しようとする課題】
【０００４】
しかし、一度上部プレートが粒子の層で覆われると、上部電極の下に何があるのかは見ることができない。この上部電極の下を見ることができないことで、一般に公知の電気泳動インクの不具合モード、例えば、粒子の凝集、流体力学的効果に起因する粒子のスウィッシング（swishing）、電荷反転および電極極性の反転後の粒子運動の継続などが隠される可能性がある。
【課題を解決するための手段】
【０００５】
第１のワイヤと、第２のワイヤと、第１のワイヤと第２のワイヤとが実質的に平行であるように、第１のワイヤおよび第２のワイヤをその上に付着させた基体と、を含み、第１のワイヤと第２のワイヤとの間に電気泳動インクを受けるためのギャップを形成する、電気泳動インクを観察するための横方向のワイヤ装置である。
【発明を実施するための最良の形態】
【０００６】
多くの態様を有する例示的な実施形態は、電気泳動を受けている電気泳動インクの粒子を直接側面から見ることのできる横方向のワイヤ装置を含む。電気泳動インク運動は、一般に、上部電極からインクを見ることによりモニタされるが、トナー粒子が２つの電極間を前後に移動する時、観察者は上部電極の下に何があるのか見ることができない。これは、一般に公知の不具合モード、例えば、粒子凝集、流体力学的効果に起因する粒子のスウィッシングなどを隠す可能性がある。横方向のワイヤ装置には、基体に接着されて固定距離に離れて保持された２本のワイヤが含まれ、ワイヤ間のギャップ（gap）全体にわたって均一な電場を維持するために役立つ。固定距離に設置されたスクリュとペグを備えるブロックを用いて、安価かつ入手の容易な材料を用いて迅速に再生することのできる、かなり正確なワイヤ間隔をもつ横方向のワイヤ装置が作製される。
【０００７】
一態様は、電気泳動インクを観察するための横方向のワイヤ装置である。横方向のワイヤ装置には、ワイヤが実質的に平行であるように基体に付着された２本のワイヤを含む。ワイヤ間に電気泳動インクを受けるためのギャップが生じる。電源をワイヤに取り付けてもよい。実質的に均一な電場がワイヤ間のギャップに生じ得る。横方向のワイヤ装置を用いて粒子凝集および流体力学的効果を検出することができる。ワイヤ間の距離は約３０〜６０μｍであってもよい。
【０００８】
別の態様は、電気泳動インクを観察するための横方向のワイヤ装置を作製するためのツールである。ツールには、ブロック、２本のワイヤ、および多数の留め具が含まれる。留め具はブロックに装着され、ワイヤは留め具の周囲に巻き付けられている。基体はワイヤの下に設置され、ワイヤは、ワイヤが実質的に平行であるように基体に付着され、ワイヤ間に電気泳動インクを受けるためのギャップが形成される。ツールには、２つ以上の留め具の間にワイヤ間のギャップの幅を変えるための１つ以上の連結装置が含まれてもよい。連結装置には、その周囲で留め具が移動するヒンジ点が含まれるか、または連結装置には少なくとも２個の留め具をスライドさせるためのスライド構造が含まれ得る。ツールは、ギャップにどのような変化が起こってもその間ワイヤが互いに実質的に平行を保つように、連結装置に関して留め具の運動を制御するための作動装置を含み得る。ギャップの幅は約３０〜６０μｍであってもよい。
【０００９】
さらに別の態様は、電気泳動インクを観察するための横方向のワイヤ装置を作製する方法である。２本のワイヤは、多数の留め具の周囲に巻き付けられ、それはブロック上に装着されている。基体は２本のワイヤの下に設置されている。次に、ワイヤが実質的に平行となるようにワイヤを基体に付着し、ワイヤは電気泳動インクを受けるためのギャップを定義する。最終的に、ワイヤは切断されて横方向のワイヤ装置、すなわち、基体に付着されていたワイヤを、ブロックから取り外す。横方向のワイヤ装置を用いて、電気泳動インク中の粒子凝集および流体力学的効果を検知することができる。
【００１０】
さらに別の態様は、横方向のワイヤ装置を、インクを観察するために用いるための方法である。１滴の電気泳動インクを、２本のワイヤ間に形成されたギャップの中に配置し、それをワイヤが実質的に平行となるように基体に付着させる。電気泳動を受けている電気泳動インクの粒子の横方向の動きがワイヤ間に観察される。観察者は、平行なワイヤにより作り出された面と垂直な視点から横方向の動きを観察する。粒子凝集は電気泳動インクにおいて検知可能であり得る。
【００１１】
図１は、関連技術の電気泳動インク試験装置１００に関連するいくつかの問題を図示する。観察者１０２（図１中、視点を示す目と矢印で示される）は、図１の側面図に示される電気泳動インク試験装置１００の上部電極１０４（例えば、ＩＴＯガラス電極）を見下ろしている。電気泳動インク試験装置１００には、上部電極１０４、下部電極１０６、空洞保持流体１０８および図１で緑と赤のインクとして示される、逆帯電した粒子１１０が含まれる。この実施例のインクは２粒子インクである、すなわち、２つの対比する着色粒子である緑と赤が存在する。その他のインクは、黒と白またはその他の様々な色であってもよい。電圧が試験装置１００に印加されると、粒子は一方の電極からもう一方の電極へと切り替わるかまたは移動する。画像を形成するための電場の影響下での電気泳動インク粒子の運動を、電気泳動法または電気泳動と呼ぶ。多くの装置には電気泳動インクが組み込まれ得る、例えば標識、電子ブック、携帯端末、電子写真用機器、例えばプリンタおよびコピー機などである。電子的にアドレス可能なディスプレイ装置にも電気泳動インクが組み込まれ得る。そのようなディスプレイ装置は、双安定性であってもよい。双安定性（bi-stable）とは、一度電源を切っても画像が装置上に残ることを意味する。
【００１２】
図１では、上部電極１０４に沿った極めて均一な緑色のインクの層と、下部電極１０６に沿った赤色のインクの極めて均一な層がある。観察者１０２は、塊１１２（または粒子のクラスター）を見ることができない、なぜならばそれらは上部電極１０４に沿った緑色のインクの層の下に隠れているからである。その代わりに、観察者１０２は緑色だけを見ることができる。さらに、観察者１０２は、上部のＩＴＯガラス電極１０４に沿った緑色の層の下の逆帯電した粒子１１０を見ることができない。要するに、観察者１０２は、上部電極１０４が一度粒子の層で覆われてしまうと、上部電極１０４の下に何があるのか見ることができない。関連技術のインク試験装置１００において上部電極１０４の下を見ることができないことは、一般に公知の電気泳動インクの不具合モード、例えば、電気泳動インクのその他の特徴の中でも、粒子凝集１１２、流体力学的効果に起因する粒子のスウィッシング（例えば、図９Ａ参照）、電荷反転および電極極性の逆転から数秒後の継続した粒子運動を隠す可能性がある。極性が逆転すると、インクは荷電粒子に転換して反対方向へ動く。もしこれらの問題が検知されなければ、装置中のインクは最初に第１の数サイクル間、適切に転換する（switch）が、装置は最終的に転換を停止し、インクは時間がたつと使用不可能となり得る。これは、例えば、コントラストがなく、装置が転換できなくなるまで粒子が固着し続けるように塊が倍加する場合に起こり得る。
【００１３】
図２は、関連技術の例示的な電気泳動インク粒子を図示する。この粒子は、シェル２０２、非極性液２０４、および２組の摩擦帯電粒子２０６、２０８を含む電気泳動インクカプセル２００である。インクカプセル２００は、約１０−１１Ｓｃｍ−１以下の導電率および約２００μｍ以下の直径を有し得る。シェル２０２は、非極性液２０４および粒子２０６、２０８を封入する。非極性液は石油（petroleum liquid）であってもよい。第１の摩擦帯電粒子２０６の組は光を反射し得る（すなわち、明るい色、例えば白色である）のに対して、第２の摩擦帯電粒子２０８の組は光を吸収する（すなわち、暗い色、例えば黒色である）。インクカプセル２００は、例えば、ポリビニルアルコール（ＰＶＡ）層中に埋め込まれてもよい。ＰＶＡ層は基体２１０上に配置され得る。
【００１４】
図３は、関連技術の例示的な電気泳動ディスプレイ３００を図示する。ディスプレイ３００にはＰＶＡ層３０２に埋め込まれた多数のインクカプセル２００が含まれる。ＰＶＡ層３０２は、ＩＴＯ層３０４間に配置される。ＩＴＯ層３０４は基体２１０上に配置される。ＩＴＯ層３０４のうちの１つは、例えば、接着剤層、例えば付着剤３０６の層などによりＰＶＡ層の１つと結着され得る。ディスプレイ３００は、約２ボルト／μｍのスイッチング磁場、および約１５〜２０ヘルツのスイッチング速度を有し得る。
【００１５】
図４は、関連技術の別の例示的な電気泳動ディスプレイ４００を図示する。ディスプレイ４００には、空洞を形成する電気泳動セルが含まれる。セルには、導電率をもつ区域で覆われていて、電極４０６、４０８、４１０、４１２を形成する上部４０２および下部４０４が含まれる。空洞は、電気絶縁性液体中にコロイドの大きさの粒子を含む着色懸濁媒体と、懸濁媒体中に懸濁された微粉化電気泳動粒子を含む、電気泳動懸濁液層で満たされている。電位源は電極につながれ、電場が印加されると、マーキング粒子が場に従って画像を形成する。電極４０６、４０８、４１０、４１２は、少なくとも１つの面で透明であってもよい。上部４０２は画像を見るために用いられるので、電極４０６および４０８ならびに上部４０２は透明であり得る。側壁４１４、４１６は電極４０６、４０８、４１０、４１２の間の空洞を規定し、電気泳動粒子４１８を入れる容器をもたらす。空洞には、コロイドの大きさの粒子を含有する懸濁媒体または懸濁流体４２０も含まれる。コロイドの大きさの粒子は電気泳動粒子４２２との色の対比をもたらす。
【００１６】
操作中、図４の関連技術ディスプレイ４００は（電位）源４２４、４２６から電位が与えられ、電極４０６、４０８、４１０、４１２の間の空洞全体に電場が置かれる。この実施例では、粒子４１８は正に帯電し、電気泳動によって陰極に運ばれる。電極はアドレス可能であり、空洞全体に画像通りのパターンの電場を作り出し、それによって粒子４１８を選択的に引き付ける。光線４２８に示されるように、上部４０２から透明な電極４０８を通して見た場合、電気泳動粒子は見えるが、電極に付着している電気泳動粒子４２２は懸濁媒体４２０中に分布しているコロイド粒子のために見えない。粒子４２２は流体４２０に対して電荷を受け取り、電位差が生じる。印加された電場の影響を受けて電気泳動を作り出すのは、この電荷である。
【００１７】
電気泳動インク、例えば図２に示す電気泳動インクカプセル２００の性能は、ディスプレイ、例えば図３および図４に示すディスプレイ３００、４００でモニタすることができる。インクを２つの電極の間に置き電圧を印加して粒子を前後に移動させる。粒子は前景から背景へと移動し、通常、これは顕微鏡を通じて観察される。二粒子の色の組がある場合、色の変化を顕微鏡で観察することができる。しかし、関連技術のディスプレイ３００、４００は、表面層粒子の下で何が行われているか観察することができない（図１参照）。例えば、粒子の最初の前面の下に捕捉された粒子は見えない。図１の電気泳動インク試験装置１００に関連する問題を解決するため、例示的な実施形態は、側面（または横方向の）視界を提供して運動している粒子の観察を可能にする。このように、電極に最も近い粒子の最上層の下で何が起こっているかを観察すること、すなわち、インクの性能の側面からの眺めを観察することが可能である。
【００１８】
電気泳動インク粒子の動きを十分に理解するため、電極に対して横方向の面の粒子運動を見て、下位層で粒子がどのように動いているかを見る必要がある。例示的な実施形態には、電気泳動を受けている粒子を直接横から見ることを可能にする横方向のワイヤ装置が含まれる（図５参照）。装置の一実施形態には、ガラス製の基体に固定厚さで間隔を置いて付着されている２本の狭いゲージのワイヤが含まれる。例示的な実施形態にはまた、電気泳動インク粒子の日常的分析のための複数の横方向のワイヤアレイを安価かつ再現可能に作製するためのツール（図６Ａおよび図６Ｂ参照）が含まれる。例示的な実施形態には、ツールを作製する方法がさらに含まれる（図７Ａ〜図７Ｄ、図８Ａおよび図８Ｂ参照）。
【００１９】
図５は、電気泳動インクを試験するための横方向のワイヤ装置５００の例示的な実施形態を図示する。この実施例では、横方向のワイヤ装置５００には、基体５０３に固定され、所定の距離（またはギャップ）５０４で離れて保持される２本のワイヤ５０２が含まれる。基体５０３は、ガラス、プラスチックまたは任意のその他の適した材料であってもよい。ワイヤ５０２は、ゲージの狭い２本のワイヤであるか、または適切なギャップ５０４を定義するために適した任意の種類のワイヤであってもよい。ワイヤ５０２は、様々なフィルム、例えばサイトップ（cytop）、ポリカーボネート、フルオロポリマー、およびポリスチレンなどで被覆されてもよい。かかる表面コーティングは付着に対して帯電を生じさせ、インク粒子と電極表面との不可逆的付着を回避することができる。ワイヤ５０２は付着剤５０６、例えばホットメルト付着剤、粘着性材料またはエポキシで固定されてもよい。ワイヤ５０２間の所定の距離５０４は、ギャップ５０４の全体にわたって実質的に均一な電場（すなわち、電場＝電圧／厚さ）を維持するために役立つ。ギャップ５０４は、インク粒子を動かすために必要な電圧をもたらす。例えば、約１００μｍのギャップ５０４に関して、１００／１００＝１ボルト／μｍのために約１００ボルトが印加され得る。乳化凝集（ＥＡ）トナー粒子の直径は一般的に５〜７μｍであり、電気泳動インクのためのギャップ５０４はいずれも約１０μｍより大きい必要がある。ギャップ５０４の厚さは電気泳動インクに対して約３０〜６０μｍの間で変動し得る。ギャップ５０４は、試験される他のインク粒子の様々な特徴に応じて他の厚さであってもよい。横方向のワイヤ装置５００の観察者の視点は基体５０３の上で下向き（すなわち、基体５０３に対し垂直）となり、ワイヤ５０２間のインク粒子の運動を直接観察することが可能となる。
【００２０】
図６Ａおよび図６Ｂは、図５の横方向のワイヤ装置５００を作製するためのツール６００の例示的な実施形態の上面図および透視図をそれぞれ図示する。この実施例において、横方向のワイヤ装置５００を作製するためのツール６００は、２本のペグ（またはピン）６０４および４つのスクリュ（ネジ）６０６を備えるブロック６０２である。ブロック６０２は、プラスチック、木、金属、ガラス、プレキシガラスまたは任意のその他の適した材料であってもよい。ペグ６０４およびスクリュ６０６が図６Ａおよび図６Ｂに示されているが、任意の種類の留め具、例えばボルト、カップリング、釘、ピンなどを用いてもよい。スクリュ６０６には糸を通してもよい。ペグ６０４は互いに離れた固定距離に位置し、ワイヤの間隔を規定する。ペグ６０４はブロック６０２に埋め込むか、または多くの方法、例えば取り付け（attaching）、ボルト締め（bolting）、カップリング（coupling）、固定（fixing）、しっかりとした固定（securing）、または溶接（welding）で装置することができる。正確なペグ６０４の配置により、横方向のワイヤ装置５００が、ワイヤの終端間の距離（すなわち、ギャップ５０４）がワイヤ５０２の両方の終端で実質的に同じであるように実質的に平行なワイヤ５０２を有することを保証する。スクリュ６０６を用いて、ペグ６０４間にワイヤ６０８を通し、ワイヤ６０８をギターの弦と同じようにピンと張るかまたは堅く締める。横方向のワイヤ装置５００を作製するため、図７Ａに示されるように、ワイヤ６０８をスクリュ６０６に巻き付け（string around）、ペグ６０４の周りに巻き付ける（wrap around）。
【００２１】
図７Ａ〜図７Ｄは、図６Ａおよび図６Ｂのツール６００を用いて図５の横方向のワイヤ装置５００を作製または組み立てる方法７００の例示的な実施形態を図示する。ワイヤ６０８を、図７Ａ中のスクリュ６０６に巻き付け、ペグ６０４の周りに巻き付けた後、基体またはスライド７０２をワイヤ６０８の下に滑り込ませる。ワイヤ６０８には十分な隙間があるか、またはたわみがあるので、ワイヤ６０８をわずかに持ち上げてスライド７０２を適所に設置することができる。ワイヤ６０８をスライド７０２まで押し下げ、図７Ｂの付着剤７０４の玉で固定する。付着剤７０４が溜まり、硬くなった後は、スクリュ６０６はもはや必要ない。スライド７０２はＩＴＯコーティングされたガラスまたはプラスチック製であってもよい。付着剤７０４は、ホットメルト付着剤または任意の種類のエポキシまたは粘着剤であってもよい。一度付着剤７０４が固まれば、図７Ｃおよび図７Ｄに示されるように、ワイヤを４箇所で切断し、横方向のワイヤ装置５００はインクを試験するために使用される準備ができている。
【００２２】
ツール６００を用いて、横方向のワイヤ装置５００を、安価かつ入手の容易な材料（例えば、ワイヤ、ガラス、およびエポキシ）を用いて約５分未満で作製することができる。かなり正確なワイヤ間隔の横方向のワイヤ装置５００を作ることにより、装置間のあて推量およびばらつきをわずか１０または２０％まで減少させることができる。ギャップが変わると、電場も変わる。同じツール６００で作製した、横方向のワイヤ装置５００の両端で実質的に同じであり、横方向のワイヤ装置５００の全体にわたって実質的に同じである、一貫したギャップを維持することにより、実質的に同じ条件下での、一連の電気泳動インクの性能および特徴の正確な試験および測定結果が得られる。
【００２３】
方法７００の結果、図５に示す横方向のワイヤ装置５００が得られる。電源を横方向のワイヤ装置５００に取り付けて、ワイヤ間に電位を作り出してもよい。インクを試験するため、インクの小滴（例えば、２００マイクロリットルのインク）は、ワイヤを送達系、例えばピペットで触れることにより分配させることができる。毛管力がそのインクを引き付け、インクをギャップに運ぶ。次に、インクの電気泳動を顕微鏡またはその他の機器で観察することができる（図９Ａおよび図９Ｂ参照）。
【００２４】
ツール６００は、ギャップを制御する再現可能な方法を提供する。例えば、いくつかの電気泳動インクの性能をいくつかの横方向のワイヤ装置５００で測定すると仮定する。ツール６００は、ツール６００で作製した次の横方向のワイヤ装置５００がツール６００で作製した最後の横方向のワイヤ装置５００と実質的に同じであることを保証する。つまり、被検下の様々なインク全体にわたって、および横方向のワイヤ装置５００全体にわたって測定が一貫しているように２本のワイヤ間の厚さが制御されている。図７Ａ〜図７Ｄの方法は、制御された試験固定装置、すなわち、横方向のワイヤ装置５００を作製する手段を提供する。
【００２５】
図８Ａおよび図８Ｂは、図５の横方向のワイヤ装置５００を作製するための、図６Ａおよび図６Ｂのツール６００の代わりの例示的な実施形態を図示する。この実施例では、ツール６００は、ペグ６０４間の１つ以上の連結装置８０２のオプション機能８００を用いてワイヤの距離を素早く変える能力を有する。連結装置８０２は、２つ以上のペグを接続できる任意の剛体であってもよい。例えば、２つの連結装置８０２は、図８Ａに示されるように、２つのペグ６０４の各対を相互に接続するか、または３つもしくは４つの連結装置８０２を４つのペグ６０４に接続することができる。ワイヤ６０８の距離を変えるため、ペグ６０４は、マイクロメータ作動装置（図示せず）により制御され得る１つ以上のヒンジ構造またはスライド構造（図示せず）に取り付けてもよい。ヒンジ構造には、構造の中心のヒンジ点がペグ６０４間にあり、その点の周囲を構造が回転または旋回する。
【００２６】
図８Ｂでは、連結装置、ヒンジまたはスライドを動かすにつれて、ワイヤ６０８間の距離がＤａからＤｂまで変えられ（すなわち、ペグ６０４を垂直方向に近くまで集めてくるかまたは北−南から北西−南西の方向へ移動させる）、ペグ６０４は位置Ａ（ＰＯＳ Ａ)から位置Ｂ（ＰＯＳ Ｂ）まで移動する。言い換えれば、位置Ａから位置Ｂまで左回りに移動すると、四角形から（４つのペグの各々が角になる）平行四辺形へと形を変える。ペグ６０４の２つの対は、ギャップを制御または調節するワイヤ６０８の平行度を確保するため、任意の連結装置８０２により固く接続されていてもよい。ペグ６０４を接続することにより、ワイヤの望ましくない勾配を回避することができる。例えば、横方向のワイヤ装置５００においてワイヤ６０８の一方端とワイヤ６０８の他方端の間のギャップの勾配または差異は、一方端のギャップが１００μｍであり、他方端のギャップが１５０μｍである場合、５０μｍであってもよい（すなわち、１５０−１００＝５０）。この実施例では、横方向のワイヤ装置の狭い部分で電場はより強くなる。一実施形態には、ＤａからＤｂまでの運動をより正確に制御することを可能にする、ヒンジ構造のヒンジ点に接続されたマイクロメータ作動装置が含まれる。しかし、一部の例では、連結装置８０２の一方のみを動かすことにより意図的に２本のワイヤ６０８間の間隔を変えることが望ましい。結果は、粒子移動のための閾値電圧を決定するために有用であり得る公知のピッチの制御勾配となる。例えば、もしギャップ５０４の間隔が１００〜１５０μｍ変化し、１００Ｖの電場が２本のワイヤ６０８間に印加されるならば、２本のワイヤ６０８全体にわたる制御勾配は、空隙５０４の一端で１Ｖ／μｍからギャップ５０４の中心点の０．８Ｖ／μｍ〜０．６７Ｖ／μｍの範囲となる。移動度の高い粒子はギャップ５０４の広い終端（低電界領域）で（０．６７Ｖ／μｍ）移動するのが見られるのに対して、移動度の低い粒子はギャップ５０４（高電界領域）の狭い終端でのみ移動するのが見られる（１Ｖ／μｍ）。
【００２７】
図５に示す横方向のワイヤ装置５００を用いて、電気泳動インク、例えば電気泳動インクの移動度を試験または調査することができる。図９Ａおよび図９Ｂは、顕微鏡で見られる横方向のワイヤ装置での実験用の電気泳動インクの挙動を示す。図９Ａは、流体力学的効果に起因する対流電流の現象を示し、図９Ｂは粒子凝集および鎖形成を示す。横方向のワイヤ装置でなければ、これらの効果は関連技術の平行な板の立体配置を上から見ることができなかった（図１参照）。
【００２８】
図９Ａは、流体力学的効果に起因する対流または乱流を示す、図５の横方向のワイヤ装置５００における電気泳動インクの側面図を示す。図９Ａは動いているインク粒子の静止画像である。粒子は不規則に荷電し、渦巻き、回転し、スピンしているが、これは望ましくない。図９Ａのそのインクが余りよくないことは、横方向のワイヤ装置を用いて検知できるが、上から見る関連技術の平行な板の立体配置では検知できない（図１）。
【００２９】
図９Ｂは、粒子鎖形成（凝集）対流電流を示す、図５の横方向のワイヤ装置５００における電気泳動インクの側面からの眺めを示す。ギャップの上部および下部のワイヤは左から右まで実質的に平行線である。気泡およびその他の撹乱物質はちりなどの小片である可能性がある。電圧印加時、粒子は移動し、極性は正と負の間で転換してインク粒子をギャップ全体にわたって移動させる。図９Ｂは、顕微鏡を用いて見ることのできる実験用の電気泳動インクの電気泳動を示す。図９Ｂでは、緑色のトナー粒子の破片が垂直の糸のような配置になって相互に付着していて、これは何らかの望ましくない伝導性がインクにあるというサインである。それが凝集のサインであれば、望ましくない。横方向のワイヤ装置によってもたらされる側面からの眺めがなければ、観察者は皆、上部のワイヤに沿った赤色のトナー粒子の帯を見る。そしてその観察者はこのインクは良いと誤って信じてしまう。従って、横方向のワイヤ装置は時間を節約し、そのため適切に機能していない電気泳動インクに少しの時間も浪費しない。望ましくない特性を有するインクは早期に検出され得る。観察され得るいくつかの特性としては、色空間、反射能、光学濃度、装置またはインクが時間とともにどのように機能するかなどが挙げられる。特性は、電気泳動を受けてインクが前後に転換する時に、ガラス電極下のインクのパッチまたはインクの平らな範囲を見ることにより、測定することができる。
【００３０】
例示的な実施形態には、粒子の横方向運動を見ることによる電気泳動インク粒子運動の特性決定のための装置が含まれ、粒子の最上層の下の粒子挙動のより詳細な視界を可能にする。例示的な実施形態はまた、均一なワイヤ間隔の横方向のワイヤ装置を安価かつ再現可能な方法で作製するためのツールを含む。この装置は任意の特定の種類の電気泳動インクに限定されず、その他のインクも同様に用いることができる。電気泳動インクは、顔料ポリマーおよび樹脂が粉砕されて液体媒体中の微粒子が形成される液体トナー技術に基づいてもよい。ワイヤを様々な膜でコーティングして表面コーティングの粒子移動度への効果をモニタしてもよい。この装置は電気泳動インクの特性決定を可能にし、電気泳動インクの不具合モードの検出に役立ち、電気泳動インクのより頑丈な設計を可能にする。横方向のワイヤ装置の例示的な実施形態は、迅速であり、作製が容易であり、ギャップの制御が正確である。
【図面の簡単な説明】
【００３１】
【図１】関連技術の電気泳動インク試験装置の側面図を示す。
【図２】関連技術の電気泳動インク粒子を示す。
【図３】関連技術の例示的な電気泳動ディスプレイを示す。
【図４】関連技術の別の電気泳動ディスプレイを示す。
【図５】電気泳動インクを試験するための横方向のワイヤ装置の例示的な実施形態を示す。
【図６Ａ】図５の横方向のワイヤ装置を作製するためのツールの例示的な実施形態の上面図を示す。
【図６Ｂ】図５の横方向のワイヤ装置を作製するためのツールの例示的な実施形態の透視図を示す。
【図７Ａ】図６Ａおよび図６Ｂのツールを用いる図５の横方向のワイヤ装置を作製または組み立てるための方法の例示的な実施形態を示す。
【図７Ｂ】図６Ａおよび図６Ｂのツールを用いる図５の横方向のワイヤ装置を作製または組み立てるための方法の例示的な実施形態を示す。
【図７Ｃ】図６Ａおよび図６Ｂのツールを用いる図５の横方向のワイヤ装置を作製または組み立てるための方法の例示的な実施形態を示す。
【図７Ｄ】図６Ａおよび図６Ｂのツールを用いる図５の横方向のワイヤ装置を作製または組み立てるための方法の例示的な実施形態を示す。
【図８Ａ】図５の横方向のワイヤ装置を作製するための図６Ａおよび図６Ｂのツールの代わりの例示的な実施形態を示す。
【図８Ｂ】図５の横方向のワイヤ装置を作製するための図６Ａおよび図６Ｂのツールの代わりの例示的な実施形態を示す。
【図９Ａ】流体力学的効果に起因する対流または乱流を示す図５の横方向のワイヤ装置における電気泳動インクの側面図を示す。
【図９Ｂ】粒子鎖形成（凝集）対流電流を示す図５の横方向のワイヤ装置における電気泳動インクの側面図を示す。
【図１】
2008276221.tif 000003
【図２】
2008276221.tif 000004
【図３】
2008276221.tif 000005
【図４】
2008276221.tif 000006
【図５】
2008276221.tif 000007
【図６Ａ】
2008276221.tif 000008
【図６Ｂ】
2008276221.tif 000009
【図７Ａ】
2008276221.tif 000010
【図７Ｂ】
2008276221.tif 000011
【図７Ｃ】
2008276221.tif 000012
【図７Ｄ】
2008276221.tif 000013
【図８Ａ】
2008276221.tif 000014
【図８Ｂ】
2008276221.tif 000015
【図９Ａ】
2008276221.tif 000016
【図９Ｂ】
2008276221.tif 000017